(57)【要約】  【課題】装置の大型化を招くことなく、鉛直軸周りに回転する操作パネルを備える画像形成装置を提供する。  【解決手段】パネル本体２０１裏面から突出するボルト２０３Ｌ、２０３Ｒは基台２００のガイド孔２０２に差し込まれており、ワッシャ２０４等にて脱落が防止される。パネル本体２０１はガイド孔２０２に沿って矢印Ｂ方向に滑動し、右端部に至ると、ボルト２０３Ｌを回転軸として矢印Ｄ方向に回転する。ボルト２０３Ｌ、２０３Ｒは何れもパネル本体２０１の中央部から外れた位置に取着されており、かつ、回転軸とならないボルトが画像形成装置１本体から離れるように、パネル本体２０１が回転するので、より小さい空間でパネル本体２０１を回転させることができる。  【選択図】図２
2010122430.tif 000002
【特許請求の範囲】
【請求項１】
ユーザから画像形成条件の入力を受け付ける操作パネルを備えた画像形成装置であって、
前記操作パネルの平面視の形状は、ほぼ矩形であって、装置本体の正面に配された基台に、所定方向に回動可能に軸支されており、
当該軸支の位置は、前記操作パネルをその正面から見たときに、中央から左右の何れか一方に変位した位置であって、回動時に手前に引き出される側とは反対側の位置である
ことを特徴とする画像形成装置。
【請求項２】
前記軸支の位置は、操作パネルの、前記回動時に手前に引き出される側とは反対側の側辺に沿った位置である
ことに特徴とする請求項１に記載の画像形成装置。
【請求項３】
前記軸支の位置は、操作パネルの、前記回動時に手前に引き出される側とは反対側の奥側のコーナ部に存する
ことを特徴とする請求項１に記載の画像形成装置。
【請求項４】
前記操作パネルは、前記基台上で左右方向に滑動可能に支持されており、
前記滑動範囲の少なくとも一方の端において前記基台に回動自在に軸支される構造を有する
ことを特徴とする請求項１に記載の画像形成装置。
【請求項５】
前記基台は、左右方向に伸びる案内溝を有し、
前記操作パネルは、その裏面に立設された支軸が前記案内溝に案内されることにより左右に滑動するように構成される
ことを特徴とする請求項４に記載の画像形成装置。
【請求項６】
前記基台は、左右方向の異なる複数の位置に軸受部が設けられ、
前記操作パネル裏面に立設された支軸が、前記複数の軸受に選択的に挿抜自在である
ことを特徴とする請求項１に記載の画像形成装置。
【請求項７】
前記操作パネルは、その裏面の左右の所定位置に支軸を１本ずつ備え、
前記操作パネルが、前記装置本体正面に対して右側に位置しているときに、左側の支軸を中心にして回動自在となるよう、前記右側の支軸の円弧移動を許容する第１の円弧状溝が基台に形成されており、
前記操作パネルが、前記装置本体正面の左側に位置するときに、前記右側の支軸を中心にして回動自在となるよう、前記左側の支軸の円弧移動を許容する第２の円弧状溝が、基台に形成されている
ことを特徴とする請求項４から６のいずれかに記載の画像形成装置。
【発明の詳細な説明】
【技術分野】
【０００１】
本発明は、画像形成装置に関し、特に、操作パネルの運動範囲を規制することによって画像形成装置の省スペース化を図る技術に関する。
【背景技術】
【０００２】
近年、画像形成装置が広く普及し、その利用形態が卓上設置や床置き等のように著しく多様化するに至っている。その結果、画像形成装置を操作するための操作パネルの設置高さが様々となって、ユーザの利便性が損なわれる場合も生じている。
例えば、低く設置されている画像形成装置を背の高いユーザが使用したり、高い位置にある画像形成装置を背の低いユーザが使用したりする場合には、液晶パネルに対する視線の角度が浅くなって、操作パネルが見難く感じられることがある。
【０００３】
このような問題に対して、例えば、操作パネルを水平な回転軸周りに回転できるように構成することによって、ユーザの視線の方向へ操作パネルを向ける技術が開示されている（特許文献１を参照）。このようにすれば、画像形成装置の設置高さやユーザの身長等に関わらず、操作パネルの使い勝手を良くすることができる。
【特許文献１】特開２０００−１５８９１号公報
【発明の開示】
【発明が解決しようとする課題】
【０００４】
しかしながら、操作パネルの使い勝手はユーザの視線の高さ以外の要因にも左右される。例えば、車椅子に座ったまま画像形成装置を操作するためには、車椅子を画像形成装置に横付けするのが望ましい。画像形成装置に対して正面を向くと、車椅子ユーザの脚が画像形成装置に当たってしまい、操作パネルに近づくことができないからである。
このような場合には、例えば、操作パネルを鉛直軸周りに回転させれば、車椅子ユーザにとって使い勝手が良くなると考えられる。
【０００５】
しかしながら、操作パネルが平面視において円形をしており、かつ、その中心を軸として回転させるのであればともかく、一般的に操作パネルは平面視において矩形形状をとるので、かかる回転を可能にするためには、画像形成装置の奥行き方向に操作パネルを回転させるための空間が必要になる。
操作パネルを回転させるのに十分な空間を確保するためには、例えば、操作パネルを画像形成装置本体から離して配置することが考えられる。しかしながら、そのような配置は画像形成装置全体の大型化に繋がって、装置小型化の要請に反するので好ましくない。
【０００６】
本発明は、上述のような問題に鑑みて為されたものであって、装置の大型化を招くことなく、鉛直軸周りに回転する操作パネルを備える画像形成装置を提供することを目的とする。
【課題を解決するための手段】
【０００７】
上記目的を達成するため、本発明に係る画像形成装置は、ユーザから画像形成条件の入力を受け付ける操作パネルを備えた画像形成装置であって、前記操作パネルの平面視の形状は、ほぼ矩形であって、装置本体の正面に配された基台に、所定方向に回動可能に軸支されており、当該軸支の位置は、前記操作パネルをその正面から見たときに、中央から左右の何れか一方に変位した位置であって、回動時に手前に引き出される側とは反対側の位置であることを特徴とする。
【発明の効果】
【０００８】
このように、操作パネルの正面から見て中央から左右の何れか一方に変位した位置であって、回動時に手前に引き出される側とは反対側で操作パネルを軸支すれば、操作パネルを回転させたときに装置本体の正面から見て奥側へ操作パネルが突出し難くすることができるので、画像形成装置の大型化を招くことなく、操作パネルを回転させることができる。
【０００９】
この場合において、前記軸支の位置は、操作パネルの、前記回動時に手前に引き出される側とは反対側の側辺に沿った位置であるとすれば良く、前記軸支の位置は、操作パネルの、前記回動時に手前に引き出される側とは反対側の奥側のコーナ部に存するとすれば更に好適である。
また、前記操作パネルは、前記基台上で左右方向に滑動可能に支持されており、前記滑動範囲の少なくとも一方の端において前記基台に回動自在に軸支される構造を有するとすれば、左右何れの側においても操作パネルを回転させることができるので、操作パネルの使い勝手が更に良くなる。具体的には、前記基台は、左右方向に伸びる案内溝を有し、前記操作パネルは、その裏面に立設された支軸が前記案内溝に案内されることにより左右に滑動するように構成されるとしても良い。
【００１０】
また、前記基台は、左右方向の異なる複数の位置に軸受部が設けられ、前記操作パネル裏面に立設された支軸が、前記複数の軸受に選択的に挿抜自在であるとすれば、ユーザが自ら使い易い位置に操作パネルを移動させて使用することができるので便利である。
また、前記操作パネルは、その裏面の左右の所定位置に支軸を１本ずつ備え、前記操作パネルが、前記装置本体正面に対して右側に位置しているときに、左側の支軸を中心にして回動自在となるよう、前記右側の支軸の円弧移動を許容する第１の円弧状溝が基台に形成されており、前記操作パネルが、前記装置本体正面の左側に位置するときに、前記右側の支軸を中心にして回動自在となるよう、前記左側の支軸の円弧移動を許容する第２の円弧状溝が、基台に形成されているとしても良い。
【発明を実施するための最良の形態】
【００１１】
以下、本発明に係る画像形成装置の実施の形態について、図面を参照しながら説明する。
［１］画像形成装置の構成
先ず、本実施の形態に係る画像形成装置の構成について説明する。図１は、本実施の形態に係る画像形成装置の主要な構成を示す外観斜視図である。
【００１２】
図１に示されるように、画像形成装置１は、操作パネル１００、画像読取部１０１、画像形成部１０２及び給紙部１０３を備えている。
操作パネル１００は、各種の表示を行なったりユーザの入力を受け付けたりするために、タッチパネルやハードキーを備えている。
画像形成装置１は、操作パネル１００にてユーザ操作によりコピージョブを投入されると、画像読取部１０１にて原稿から画像を読み取り、画像形成部１０２にてトナー像を形成し、当該トナー像を給紙部１０３が供給する記録紙上に転写、定着する。
【００１３】
［２］操作パネル１００の構成
次に、操作パネル１００の構成について説明する。図２は、操作パネル１００の主要な構成を示す図であって、（ａ）と（ｃ）とは平面図であり、（ｂ）はＡ−Ａ線における断面図である。なお、操作パネル１００が備えるタッチパネルやハードキーについては図示を省略した。
【００１４】
操作パネル１００は基台２００上にパネル本体２０１が載置されてなる（図２（ａ））。パネル本体２０１裏面からはボルト２０３Ｌ、２０３Ｒが突出しており、基台２００に形成されたガイド孔２０２に差し込まれている。ボルト２０３Ｌにはワッシャ２０４が取着されており、ガイド孔２０２から抜けないようになっている（図２（ｂ））。ボルト２０３Ｒも同様である。
【００１５】
このような構成によって、パネル本体２０１がガイド孔２０２に沿って矢印Ｂ方向に滑動する（図２（ａ））。また、ガイド孔２０２は基台２００の両端部において屈曲している。これによって、パネル本体２０１はガイド孔２０２に沿って矢印Ｂ方向の何れかの端部に至ると、ボルト２０３Ｌ、２０３Ｒの一方を回転軸としてパネル本体２０１を矢印Ｄ方向に回転させることができる（図２（ｃ））。
【００１６】
ボルト２０３Ｌ、２０３Ｒは何れもパネル本体２０１の中央部から外れた位置に取着されており、かつ、回転軸とならないボルトが画像形成装置１本体から離れるように、パネル本体２０１が回転する。このため、より小さい空間でパネル本体２０１を回転させることができる。
なお、基台２００上には凹部２０５が形成されており、パネル本体２０１を滑動させる際に、パネル本体２０１と基台２００との間の摩擦力が減じられている。
【００１７】
また、基台２００は画像形成装置１の本体２１０に対して矢印Ｃ方向に回転し、不図示のラチェット機構により多段階に角度を変えて固定することができる。これによって、画像形成装置１の設置高さやユーザの身長等に関わりなく操作パネルを使い易くすることができる。
［３］省スペース化について
次に、パネル本体の中央部を回転軸とする場合を取り上げて、パネル本体の端部等、中央部から外れた位置を回転軸とすることによって省スペース化が可能になることを説明する。
【００１８】
（１）中央部を回転軸とするパネル本体を図２と同程度に回転させる場合
先ず、中央部を回転軸とするパネル本体を図２と同程度に回転させる場合について説明する。
この場合には、図３（ｂ）に示されるように、パネル本体３０１を図２と同程度に回転させるためには、パネル本体３０１が画像形成装置本体３１０に当たらないように、パネル本体３０１の回転軸３０３を画像形成装置本体３１０から離さなければならない。
【００１９】
このため、基台３００は基台２００よりも手前に突出し、また、パネル本体３０１もパネル本体２０１よりも手前に突出してしまうので（図３（ａ））、省スペース化を図ることができない。
（２）パネル本体の突出をなくす場合
次に、パネル本体の突出をできるだけ小さくする場合について説明する。
【００２０】
パネル本体４０１の突出をできるだけ小さくするためには、パネル本体４０１をできるだけ画像形成装置本体４１０に近づける必要がある。パネル本体４０１を図２と同じぐらい画像形成装置本体４１０に近づけると、基台４００の突出も小さくすることができる（図４（ａ））。
しかしながら、パネル本体４０１を回転させようとすると、直ぐに画像形成装置本体４１０に当たってしまうので、パネル本体４０１をほとんど回転させることができない（図４（ｂ））。
【００２１】
以上、説明したように、パネル本体の突出を抑えながら、パネル本体を十分に回転させるためには、パネル本体の回転軸をパネル本体の中央からできるだけ離すのが望ましい。
［４］変形例
以上、本発明を実施の形態に基づいて説明してきたが、本発明が上述の実施の形態に限定されないのは勿論であり、以下のような変形例を実施することができる。
【００２２】
（１）  上記実施の形態においては、画像形成装置本体の前面が平らである場合について説明したが、本発明がこれに限定されないのは言うまでもなく、画像形成装置本体の前面が平らでなくてもその効果を得ることができる。
図５は、画像形成装置本体の前面の向かって左側が、画像形成装置の正面から見て奥側へ下がっている場合を示す図である。先ず、図５（ａ）に示されるように、パネル本体５０１を回転させない場合には、上記実施の形態と同様の位置にパネル本体５０１が配される。
【００２３】
また、ガイド孔５０２は向かって左側において奥側へ屈曲している。このため、パネル本体５０１を回転させる場合には、パネル本体５０１のボルト５０３Ｌ、５０３Ｒの一方がガイド孔５０２に従って奥側へ進む。このため、パネル本体５０１も奥側へ退くので、上記実施の形態におけるパネル本体２０１よりも手前側への突出が抑えられる。
なお、本変形例においては、ボルト５０３Ｌ、５０３Ｒをそれぞれ奥側へ導くガイド孔５０２が設けられており、矢印Ｇに沿ってパネル本体５０１を右回転させることも（図５（ｃ））、矢印Ｆに沿って左回転させることもでき（図５（ｂ））、何れの場合にもパネル本体５０１の手前側への突出が抑えられる。
【００２４】
（２）上記実施の形態においては、パネル本体を左右にスライドさせ、かつ、左右端で回転させる場合について説明したが、本発明がこれに限定されないのは言うまでもなく、パネル本体を前後にスライドさせても良い。
図６は、パネル本体を前後にスライドさせる変形例を示す図である。図６に示されるように、パネル本体６０１はボルト６０３Ｌをガイド孔６０２Ｌに係合させ、ボルト６０３Ｒをガイド孔６０２Ｒに係合させており、パネル本体６０１をガイド孔６０２Ｌ、６０２Ｒに沿って矢印Ｈに沿って移動することができる。
【００２５】
ガイド孔６０２Ｒは、ボルト６０３Ｌを回転軸としてボルト６０３Ｒが矢印Ｉに沿って回転することができるように一部拡幅されている。ガイド孔６０２Ｌもまた、ボルト６０３Ｒを回転軸としてボルト６０３Ｌが矢印Ｋに沿って回転することができるように一部拡幅されている。
このようにすれば、パネル本体６０１の突出を最小限に抑えることができる。
【００２６】
（３）上記実施の形態においては、パネル本体を左右にスライドさせる場合について説明したが、本発明がこれに限定されないのは言うまでもなく、パネル本体を左右の２箇所に回転可能に着脱させても良い。
図７は、本変形例に係る操作パネルを示す図である。図７に示されるように、パネル本体７０１は軸７０３Ｌをガイド孔７０２ＲＬに係合させ、軸７０３Ｒをガイド孔７０２ＲＲに沿って移動させることによって、右回転することができる（図７（ａ）、（ｂ））。
【００２７】
また、パネル本体７０１は軸７０３Ｒをガイド孔７０２ＬＲに係合させ、軸７０３Ｌをガイド孔７０２ＬＬに沿って移動させることによって、左回転することができる（図７（ｃ）、（ｄ））。
図８は、パネル本体７０１の軸７０３Ｌがガイド孔７０２ＲＬに係合する様子を示す断面図である。なお、軸７０３Ｒがガイド孔７０２ＬＲに係合する際も同様である。
【００２８】
軸７０３Ｌはその先端に円錐形状部８０２を有し、続いて円柱形状の括れ部８０１を有している。ガイド孔７０２ＲＬの底は円錐形状部８０２を迎えるような形状（すべり軸受）になっており、ガイド孔７０２ＲＬ内には止め具８０３が突出している。図８（ａ）。
軸７０３Ｌはガイド孔７０２ＲＬに差し込まれる過程において、円錐形状部８０２にて止め具８０３を押して、ガイド孔７０２ＲＬ外へ後退させる（図８（ｂ））。
【００２９】
軸７０３Ｌがガイド孔７０２ＲＬの底部８０４に達すると、円錐形状部８０２が止め具８０３から離れて、止め具８０３が括れ部８０１に嵌る。
これによって、止め具８０３が円錐形状部８０２の脱出を禁止するので、軸７０３Ｌがガイド孔７０２ＲＬから脱落するのが防止される。また、括れ部８０１は円筒形状をしているので、止め具８０３が当接した状態で回動することができる（図８（ｃ））。
【００３０】
その後、ユーザがレバー（図示省略）を引くことによって止め具８０３をガイド孔７０２ＲＬ外へ後退させると、軸７０３Ｌを引き抜くことができる（図８（ｄ））。
図９はパネル本体７０１と止め具８０３とを斜め下から見た斜視図であって、止め具８０３を除く基台部分は図示を省略されている。図９に示されるように、止め具８０３が括れ部８０１に当接する状態で、軸７０３Ｌの脱落が防止されると共に、パネル本体７０１の回動が許される。
【００３１】
このようにすれば、パネル本体７０１を基台７００の向かって左右それぞれの位置において着脱させることができ、かつ、左右それぞれの位置において回転させることができる。
（４）上記変形例（３）においてはすべり軸受にてパネル本体７０１を回転させる場合について説明したが、本発明がこれに限定されないのは言うまでもなく、すべり軸受に代えて他の構成にてパネル本体７０１を回転させても良い。
【００３２】
例えば、図１０はスラスト玉軸受にてパネル本体を回転させる場合を示す断面図である。図１０に示されるように、軸７０３Ｌがガイド孔７０２ＲＬに進入すると、係合部１００２が止め具１００３をガイド孔７０２ＲＬ外へ押し退ける（図１０（ａ）、（ｂ））。軸７０３Ｌがさらにガイド孔７０２ＲＬ内に進入して、底部１００４に達すると、止め具１０３が括れ部１００１に嵌って係合部１００２と係合し、軸７０３Ｌの脱落を防止する（図１０（ｃ））。
【００３３】
軸７０３Ｌとパネル本体７０１とはベアリング１００６を介して係合しており、軸７０３Ｌがパネル本体７０１から脱落しないように、ワッシャ１００５が軸７０３Ｌに取り付けられている。これによって、軸７０３Ｌがガイド孔７０２ＲＬに嵌った状態で、パネル本体７０１を回転させることができる。
ユーザが不図示のレバーを引くことによって止め具１００３がガイド孔７０２ＲＬ外へ退くと、係合部１００２と止め具１００３の係合が解除されるので、軸７０３Ｌをガイド孔７０２ＲＬから抜去することができる（図１０（ｄ））。
【００３４】
（５）上記実施の形態においては、専らパネル本体の回転軸を画像形成装置本体に近い位置に配する場合について説明したが、本発明がこれに限定されないのは言うまでもなく、他の位置に回転軸を配しても本発明の効果を得ることができる。
図１１は、パネル本体の回転軸の位置が奥行き方向において異なるパネル本体を回転させた状態を示す平面図である。図１１において、（ａ）は上記実施の形態におけるパネル本体の回転位置を示す。（ｂ）は回転軸を奥行き方向中央に配した場合を、（ｃ）は奥行き方向手前位置に配した場合をそれぞれ示す。
【００３５】
図１１から分かるように、回転軸の位置を奥行き方向に変化させても、パネル本体の回転位置はほとんど変わらない。このことは、回転軸がパネル本体の右端にあっても同様である。
すなわち、パネル本体を右回転する際には画像形成装置の正面に向かってパネル本体の中央よりも左側を回転中心とし、パネル本体を右回転する際には画像形成装置の正面に向かってパネル本体の中央よりも左側を回転中心とすれば、操作パネルを回転させるに際して省スペース化を図ることができる。
【００３６】
また、回転軸がパネル本体の左右端部に近いほど、省スペース化を図ることができる。
（６）本発明を実施するにあたり操作パネルを基台や画像形成装置本体に回転可能に支持させる機構は上述のものに限定されないのは言うまでも無く、上記以外の機構、例えばヒンジ機構等を用いても良い。
（７）上記実施の形態における画像形成装置は、例えば、電子写真方式を用いて画像を形成する装置であって、具体的には複写機、ファクシミリ装置、プリンタやこれらの機能を兼ね備えるＭＦＰ（multifunctional peripheral）であってもよい。何れの場合も、ユーザの操作入力を受け付ける操作パネルを備えていれば、本発明を適用してその効果を得ることができる。
【産業上の利用可能性】
【００３７】
本発明に係る画像形成装置は、操作パネルの運動範囲を規制することによって画像形成装置の省スペース化を図るために有用である。
【図面の簡単な説明】
【００３８】
【図１】本発明の実施の形態に係る画像形成装置の主要な構成を示す外観斜視図である。
【図２】操作パネル１００の主要な構成を示す図であって、（ａ）と（ｃ）とは平面図であり、（ｂ）はＡ−Ａ線における断面図である。
【図３】パネル本体をその中央部を中心として回転させる操作パネルの平面図であって、（ａ）はパネル本体を基台の中央に移動させた場合を示し、（ｂ）はパネル本体を基台の右端に移動させた場合を示す。
【図４】パネル本体をその中央部を中心として回転させる操作パネルを画像形成装置本体に近づけた場合の操作パネルの平面図であって、（ａ）はパネル本体を基台の中央に移動させた場合を示し、（ｂ）はパネル本体を基台の右端に移動させた場合を示す。
【図５】画像形成装置本体の前面の向かって左側が、画像形成装置の正面から見て奥側へ下がっている場合を示す図であって、（ａ）はパネル本体を基台の中央に移動させた場合を示し、（ｂ）はパネル本体を基台の左端で左回転させた場合を示し、（ｃ）はパネル本体を基台の左端で右回転させた場合を示す。
【図６】基台上で前後にスライドするパネル本体を示す平面図であって、（ａ）は画像形成装置の正面から見て奥側へ下がっている場合を示し、（ｂ）は（ａ）の位置で右回転させた場合を示し、（ｃ）は画像形成装置の正面から見て手前側へ引いた場合を示し、（ｄ）は（ｃ）位置で右回転させた場合を示す。
【図７】画像形成装置の正面に向かって左右２箇所においてパネル本体を基台に着脱できる場合を示す図であって、（ａ）は向かって右側にパネル本体を装着した場合を示し、（ｂ）は（ａ）の位置でパネル本体を右回転させた場合を示し、（ｃ）は向かって左側にパネル本体を装着した場合を示し、（ｄ）は（ｃ）の位置でパネル本体を左回転させた場合を示す。
【図８】パネル本体７０１の軸７０３Ｌがガイド孔７０２ＲＬに係合する様子を示す断面図であって、（ａ）は軸７０３Ｌがガイド孔７０２ＲＬに進入する前、（ｂ）は進入する途中、（ｃ）は軸７０３Ｌがガイド孔７０２ＲＬに係合する状態、（ｄ）は軸７０３Ｌをガイド孔７０２ＲＬから抜去する途中をそれぞれ表わす。
【図９】パネル本体７０１と止め具８０３とを斜め下から見た斜視図であって、（ａ）と（ｂ）とはそれぞれ異なる回転状態を表わす。
【図１０】スラスト玉軸受にてパネル本体を回転させる場合を示す断面図であって、（ａ）は軸７０３Ｌがガイド孔７０２ＲＬに進入する前、（ｂ）は進入する途中、（ｃ）は軸７０３Ｌがガイド孔７０２ＲＬに係合する状態、（ｄ）は軸７０３Ｌをガイド孔７０２ＲＬから抜去する途中をそれぞれ表わす。
【図１１】パネル本体の回転軸の位置が奥行き方向において異なるパネル本体の回転位置を示す平面図であって、（ａ）は奥行き方向奥側に、（ｂ）は中央に、（ｃ）は手前に配した場合をそれぞれ示す。
【符号の説明】
【００３９】
１…………………………………………………………………画像形成装置
１００……………………………………………………………操作パネル
１０１……………………………………………………………画像読取部
１０２……………………………………………………………画像形成部
１０３……………………………………………………………給紙部
２００、３００、４００、５００……………………………基台
２０１、３０１、４０１、５０１、６０１、７０１………パネル本体
２０２、３０２、４０２、５０２、６０２Ｌ、６０２Ｒ…ガイド孔
２０３Ｌ、２０３Ｒ、５０３Ｌ、５０３Ｒ…………………ボルト
２０４、１００５………………………………………………ワッシャ
３０３、４０３、１１０３ａ、１１０３ｂ、１１０３ｃ…回転軸
３１０、４１０、５１０、６１０、７１０、１１１０……画像形成装置本体
６０３Ｌ、６０３Ｒ……………………………………………ボルト
７０２ＲＲ、７０２ＲＬ、７０２ＬＲ、７０２ＬＬ………ガイド孔
７０３Ｒ、７０３Ｌ……………………………………………軸
８０１、１００１………………………………………………括れ部
８０２……………………………………………………………円錐形状部
８０３、１００３………………………………………………止め具
８０４、１００４………………………………………………底部
１００２…………………………………………………………係合部
１００６…………………………………………………………ベアリング
１１０１ａ、１１０１ｂ、１１０１ｃ………………………パネル本体
【図１】
2010122430.tif 000003
【図２】
2010122430.tif 000004
【図３】
2010122430.tif 000005
【図４】
2010122430.tif 000006
【図５】
2010122430.tif 000007
【図６】
2010122430.tif 000008
【図７】
2010122430.tif 000009
【図８】
2010122430.tif 000010
【図９】
2010122430.tif 000011
【図１０】
2010122430.tif 000012
【図１１】
2010122430.tif 000013